(57)【特許請求の範囲】
【請求項１】
エチレン−プロピレン−ジエンゴムのスポンジからなり、前記エチレン−プロピレン−ジエンゴムのスポンジはインキを付着させる事ができるが、インキを吸収しないことを特徴とするスタンプ用スポンジ。
【請求項２】
インキを付着させるためのインキ付着体が設けられた基台と、フタ体を有するスタンプ台において、前記インキ付着体がエチレン−プロピレン−ジエンゴムのスポンジからなり、前記エチレン−プロピレン−ジエンゴムのスポンジはインキを付着させる事ができるが、インキを吸収しないことを特徴とするスタンプ台。
【請求項３】
前記インキ付着体にインキを付着させ、ゴム印に前記インキを付けて捺印する請求項２に記載のスタンプ台。
【請求項４】
請求項２または３に記載のスタンプ台と、前記スタンプ台のインキ付着体に付着させるインキとからなることを特徴とするスタンプ台セット。
【発明の詳細な説明】
【技術分野】
【０００１】
本発明は、スタンプ用スポンジ、スタンプ台およびスタンプ台セットに関し、特にインキを付着させる事ができるが、インキを吸収しないスタンプ用スポンジおよびそれを用いたスタンプ台に関するものである。
【背景技術】
【０００２】
従来、スタンプ台はゴム印を捺印するために広範囲に使用されている。スタンプ台は、インキを吸収するインキ収蔵体を基台に設けたものであり、各種の大きさや形状のものが知られている。
【０００３】
インキ収蔵体には、インキを吸収する材料が用いられ、例えばフエルト、布または不織布で被覆したフエルト、樹脂を発泡したスポンジ等が用いられている（特許文献１参照）。これらのインキ収蔵体は、新しいスタンプ台を作成した際に、一回インキを十分に吸収させることにより、長期間に亘りインキを捺印に使用することができる。
【先行技術文献】
【特許文献】
【０００４】
【特許文献１】登録実用新案公報第３００６６００号公報
【発明の概要】
【発明が解決しようとする課題】
【０００５】
従来のスタンプ台のインキ収蔵体は、フエルト、布または不織布で被覆したフエルト、樹脂を発泡したスポンジ等で形成されているために、インキを良好に吸収させることができ、長期間の使用が可能である。
【０００６】
しかしながら、インキ収蔵体に吸収したインキを長期間に亘って使用すると、インキ中の水分や溶媒の蒸発によりインキの濃度が変化したり、インキの変質が発生する。また、スタンプ台を長期間使用しないでおくと、インキの変質や固まりが発生し、インキの損失が多い。
【０００７】
この様に、インキをインキ収蔵体に吸収した従来のスタンプ台には、インキの変質や損失がある点において、問題があった。
本発明は、この様な背景技術に鑑みてなされたものであり、インキの変質や損失が少ないスタンプ用スポンジおよびそれを用いたスタンプ台を提供するものである。
【０００８】
また、本発明は、上記のインキの変質や損失が少ないスタンプ台と、インキとからなるスタンプ台セットを提供するものである。
【課題を解決するための手段】
【０００９】
上記の課題を解決するスタンプ用スポンジは、エチレン−プロピレン−ジエンゴムのスポンジからなり、前記エチレン−プロピレン−ジエンゴムのスポンジはインキを付着させる事ができるが、インキを吸収しないことを特徴とする。
上記の課題を解決するスタンプ台は、インキを付着させるためのインキ付着体が設けられた基台と、フタ体を有するスタンプ台において、前記インキ付着体がエチレン−プロピレン−ジエンゴムのスポンジからなり、前記エチレン−プロピレン−ジエンゴムのスポンジはインキを付着させる事ができるが、インキを吸収しないことを特徴とする。
【００１０】
上記の課題を解決するスタンプ台セットは、上記のスタンプ台と、前記スタンプ台のインキ付着体に付着させるインキとからなることを特徴とする。
【発明の効果】
【００１１】
本発明によれば、インキの変質や損失が少ないスタンプ用スポンジおよびそれを用いたスタンプ台を提供することができる。
また、本発明は、上記のインキの変質や損失が少ないスタンプ台と、インキとからなるスタンプ台セットを提供することができる。
【図面の簡単な説明】
【００１２】
【図１】本発明のスタンプ台の一実施態様を示す概略断面図である。
【発明を実施するための形態】
【００１３】
以下、本発明の実施の形態について詳細に説明する。
本発明のスタンプ用スポンジは、エチレン−プロピレン−ジエンゴムのスポンジからなり、前記エチレン−プロピレン−ジエンゴムのスポンジはインキを付着させる事ができるが、インキを吸収しないことを特徴とする。
【００１４】
本発明のスタンプ台は、上記のスタンプ用スポンジを用いたスタンプ台である。即ち、本発明のスタンプ台は、インキを付着させるためのインキ付着体が設けられた基台と、フタ体を有するスタンプ台において、前記インキ付着体がエチレン−プロピレン−ジエンゴムのスポンジからななり、前記エチレン−プロピレン−ジエンゴムのスポンジはインキを付着させる事ができるが、インキを吸収しないことを特徴とする。
【００１５】
本発明のスタンプ用スポンジまたはインキ付着体に用いられるエチレン−プロピレン−ジエンゴムのスポンジは、エチレン−プロピレン−ジエンゴムを発泡成形して得られたスポンジである。
【００１６】
エチレン−プロピレン−ジエンゴム（ＥＰＤＭ）は、エチレンとプロピレンに、少量の第３成分のジエン成分を導入し、主鎖中に二重結合を形成したものである。エチレン−プロピレン−ジエンゴム（ＥＰＤＭ）は、例えば下記の構造式（１）で表される。
【００１７】
【化１】
0005550358.tif 000002
【００１８】
式中、Ｘは第３成分のジエン成分を表し、例えばエチリデンノルボルネン（ＥＮＢ）、ジシクロペンタジエン（ＤＣＰ）、１，４−ヘキサジエン（１，４−ＨＤ）等が挙げられる。
【００１９】
エチレン−プロピレン−ジエンゴムは、耐候性、耐熱性、耐水性、耐溶剤性に優れている。
エチレン−プロピレン−ジエンゴムのスポンジの市販品としては、例えば株式会社ブリヂストン製、商品名モラン＃５３１Ｒが挙げられる。
【実施例１】
【００２０】
図１は、本発明のスタンプ台の一実施態様を示す概略断面図である。
同図１に示す様に、本発明のスタンプ台は、インキを付着させるためのインキ付着体３が設けられた基台１と、フタ体４を有する。インキ付着体３はエチレン−プロピレン−ジエンゴムのスポンジからなり、前記インキ付着体３の上部７が基台１から突出して、基台１に収容されている。具体的には、基台１に凹部２を設け、該凹部２にインキ付着体３を、該インキ付着体３の上部７が基台１の周辺部６から突出する様に凹部２の底面に固定して収容してなるものである。インキ付着体３の上方はフタ体４で覆われており、基台１の周辺部６には溝５が刻設され、該溝５にフタ体４の周囲の先端部を嵌合してフタができる様に嵌脱自在に形成されている。
【００２１】
上記の図１ではフタ体は基台と分離して別体となっているスタンプ台の例を示したが、本発明のスタンプ台は、フタ体と基台を蝶番や柔軟性の材料からなるシートなどで接合して開閉できる様な構造のものでもよい。
【００２２】
スタンプ台の使用方法は、使用前にはインキ付着体３にはインキはなく、使用時にインキ容器に収容されているインキをインキ付着体３に付着させ、ゴム印にインキ付着体３に付着したインキを付けて捺印する。
【００２３】
インキ付着体のエチレン−プロピレン−ジエンゴムのスポンジは、単独気泡なので、インキを付着させる事ができるが、インキを吸収することはない。
また、インキ付着体のエチレン−プロピレン−ジエンゴムのスポンジは、反発弾性に富み、かつしっとりとした柔らかい触感なので、ゴム印の使用感が良い。
【００２４】
一方、スポンジの表面はスライス加工されているので、気泡がそのまま残存しているため、インキを表面に塗布した場合、インキは吸収されずに展延されるので、インキがある程度の厚さのある膜状になる。この状態でゴム印を押しつけると、インキがスポンジ内に吸収されないために、スポンジの表面に付着しているインキの一定量がゴム印に転写される。また、スポンジのクッション性が良いので、インキが過剰に付くことがない。
【００２５】
本発明のスタンプ台は、標準的なゴム印を使用した場合、１回のインキの塗布による付着により、１０回〜２０回の捺印が可能である。
また、本発明のスタンプ用スポンジおよびそれを用いたスタンプ台は、スポンジはインキを吸収しないので、インキの消費量を最低限に押さえることができ、常に新しいインキを補充して使用するので、インキの変質や損失が少ない。
【００２６】
エチレン−プロピレン−ジエンゴムのスポンジは耐侯性が良く、スポンジの劣化がなく、耐溶剤性も良いので、使用するインキの種類を問わないので、染料、顔料や、水、溶剤を用いた如何なるインキにも使用することができる。
【００２７】
本発明のスタンプ台セットは、インキを付着させるためのインキ付着体が設けられた基台と、フタ体を有するスタンプ台において、前記インキ付着体がエチレン−プロピレン−ジエンゴムのスポンジからなるスタンプ台と、容器に収容された前記インキ付着体に付着させるインキとからなることを特徴とする。
【００２８】
１個のスタンプ台に設けられたインキ付着体は１個または２個以上でよい。インキの種類も１種または２種以上でもよい。インキ付着体が２個以上の場合には、１個のスタンプ台で２種以上のインキを使用することできる。
【産業上の利用可能性】
【００２９】
本発明のスタンプ台は、インキの変質や損失が少なく、紙、木、プラスチック、人体の皮膚等のスタンプに利用することができる。
【符号の説明】
【００３０】
１  基台
２  凹部
３  インキ付着体
４  フタ体
５  溝
６  周辺部
７  上部
【図１】
0005550358.tif 000003